(57)【要約】【課題】同型の構造を有する記録素子列を備えながら、様々な物性のインクで安定した吐出特性を実現することが可能な記録ヘッドおよび当該記録ヘッドを用いた記録方法を提供する。【解決手段】互いに異なる流抵抗を有するインク流路４を備えたノズルを、ノズル列内に複数配置する。これにより、どのようなインクを吐出する場合であっても、インクの物性に適応したノズル構成を複数の中から選択し、このノズルによって主たる吐出動作が行われるように、記録方法を制御することが出来る。【選択図】図２
2008194930.tif 000002
【特許請求の範囲】
【請求項１】
インクが供給される１つの共通液室から分岐し、互いに異なる流抵抗を有するインク流路を備えたノズルが、複数配置されたノズル列を具備することを特徴とするインクジェット記録ヘッド。
【請求項２】
前記ノズルは、前記インク流路に連結した圧力室と、該圧力室内のインクに発泡を生じさせるための電気熱変換素子と、前記発泡の圧力に応じてインクを吐出させるための吐出口とを更に備えることを特徴とする請求項１に記載のインクジェット記録ヘッド。
【請求項３】
流抵抗が相対的に高い前記インク流路は、該インク流路の断面積が相対的に小さいことを特徴とする請求項１または２に記載のインクジェット記録ヘッド。
【請求項４】
流抵抗が相対的に高い前記インク流路と流抵抗が相対的に低い前記インク流路が、前記共通液室から交互に分岐していることを特徴とする請求項１乃至３のいずれかに記載のインクジェット記録ヘッド。
【請求項５】
インクの種類に応じて、前記ノズル列を複数具備することを特徴とする請求項１乃至４のいずれかに記載のインクジェット記録ヘッド。
【請求項６】
前記ノズル列の１つに対し、異なる種類のインクを供給することが可能な請求項１乃至４のいずれかに記載のインクジェット記録ヘッド。
【請求項７】
請求項１乃至６いずれかに記載のインクジェット記録ヘッドを用いたインクジェット記録方法であって、
前記流抵抗およびインクの種類に応じて前記ノズルごとに吐出周波数を調整する工程を有することを特徴とするインクジェット記録方法。
【請求項８】
前記調整工程では、インクの種類に応じて異なるマスクパターンを用いたマルチパス記録を実行することにより、前記ノズルごとに吐出周波数を調整することを特徴とする請求項７に記載のインクジェット記録方法。
【請求項９】
請求項１乃至６いずれかに記載のインクジェット記録ヘッドを用いたインクジェット記録装置であって、
前記流抵抗およびインクの種類に応じて前記ノズルごとに吐出周波数を調整する手段を具備することを特徴とするインクジェット記録装置。
【発明の詳細な説明】
【技術分野】
【０００１】
本発明は、複数種類のインクの使用に対応したインクジェット記録ヘッドと、当該記録ヘッドを用いたインクジェット記録方法に関する。
【背景技術】
【０００２】
インクジェット記録装置には、インクを吐出するために電気熱変換素子（ヒータ）を備えているものがある。このようなインクジェット記録装置では、インクを吐出させる吐出口と、この吐出口に向けて発泡を生じさせるための電気熱変換素子を備えた圧力室と、圧力室までインクを導くインク流路とから構成されるノズルを、複数配列して構成される記録ヘッドを用いている。そして、記録信号に応じて電気熱変換素子に電気信号を与えることにより、これを発熱させ、更にその近傍のインクに急激な相変化を生じさせ、ここから得られる発泡圧によって吐出口からインクを吐出させる仕組みになっている。一般に、これら複数のノズルは薄膜技術などを利用して同一の基板上にノズル列として形成され、高密度な集積配列が可能である。また、近年のカラー化に対応するため、異なる色や異なる種類のインクを吐出する複数のノズル列を、同一の基板上に一括して形成する技術も既に提案されている（例えば、特許文献１参照。）。
【０００３】
【特許文献１】特開平１−２３４２５５号
【発明の開示】
【発明が解決しようとする課題】
【０００４】
インクジェット記録ヘッドにおいて、所定量のインクが圧力室から吐出された後、再度圧力室にインクが充填されるまでのリフィル時間（リフィルのしやすさ）は、インクの物性やインク流路の構造に依存する。例えば、粘度が高いインクは圧力室を含む領域の流抵抗が大きいので、リフィル時間が比較的長くなる。また、断面積が小さいインク流路の場合は、共通液室から圧力室までの流抵抗が大きくなるので、やはり相対的にリフィル時間が長くなる。以上より、１つのノズルが吐出を繰り返す周波数（吐出周波数）は、インクの物性およびインク流路の構造によって定められたリフィル時間よりも長い時間を周期とすることが求められる。
【０００５】
一方、リフィル時間が吐出周波数の周期に比べて必要以上に短く流抵抗が小さい場合、インク路におけるインク先端部（メニスカス）がリフィル時にオーバーシュートして、インクが吐出口周囲から溢れ出してしまうことがある。そして、このようなオーバーシュートの程度は、同じリフィル時間を有するインクであっても、インクの種類（物性）に応じて異なることが確認されている。以上より、記録素子における吐出周波数は、オーバーシュートを起こさない程度に短い周期とすることが求められる。
【０００６】
すなわち、実使用上のリフィル周波数は、インクの物性およびインク流路の構造によって上限と下限が定められ、この範囲に収まるように設定されることが望まれる。逆に言えば、所望の吐出周波数を実現するために、この周期にリフィルが間に合い、且つオーバーシュートが起こらない程度に、インクの物性やインク流路の構造を調整することも出来る。
【０００７】
特許文献１に記載のように、同一の基板上に複数のインク色に対応するノズル列を備える記録ヘッドの場合、複数のインク色でその物性値が異なることが想定される。その上で、全種類のインクで同じ吐出周波数を実現するためには、ノズル列ごとにインク流路の構造を調整することが有効となる。
【０００８】
但し、一つの記録ヘッドに供給するインクの種類が多様化する昨今、全色に対応した多数の記録素子列を同一の基板に形成することは困難であり、２つ以上の基板を並列配備した記録ヘッドも提供されている。この場合、ノズル列ごとにインク流路の構成を変えるのみならず、複数種類の基板でその構造を変える結果となり、生産性の観点からは好ましいことではない。
【０００９】
また、近年のインクジェット記録装置の中には、インクタンクを着脱可能な記録ヘッドの１つのタンク装着位置に対し、異なる種類のインクタンクを交換して使用するものがある。この場合、交換しながら同じ位置に装着される２種類のインクにおいて、互いの物性値が異なるとき、装着したインクの種類によって記録ヘッドの吐出特性が変化してしまう場合がある。
【００１０】
以上より、同型の構造を有しながらも、様々な物性のインクで安定した吐出特性が得られるようなノズル列が望まれる。しましながら、従来そのようなノズル列を有する記録ヘッドは提供されておらず、そのような提案もなされていない。
【００１１】
本発明は上記課題に鑑みてなされたものであり、その目的とするところは、同型の構造を有する記録素子列を備えながら、様々な物性のインクで安定した吐出特性を実現することが可能な記録ヘッドおよび記録方法を提供することである。
【課題を解決するための手段】
【００１２】
そのために本発明においては、インクが供給される１つの共通液室から分岐し、互いに異なる流抵抗を有するインク流路を備えたノズルが、複数配置されたノズル列を具備することを特徴とする。
【００１３】
また、上記インクジェット記録ヘッドを用いたインクジェット記録方法であって、前記流抵抗およびインクの物性に応じて前記ノズルごとに吐出周波数を調整する工程を有することを特徴とする。
【００１４】
さらに、上記記録ヘッドを用いたインクジェット記録装置であって、前記流抵抗およびインクの物性に応じて前記ノズルごとに吐出周波数を調整する手段を具備することを特徴とする。
【発明の効果】
【００１５】
本発明によれば、どのようなインクを吐出する場合であっても、インクの物性に適応したノズル構成を複数の中から選択し、このノズルによって主たる吐出動作が行われるように、記録方法を制御することが出来るので、安定した画像出力が実現される。
【発明を実施するための最良の形態】
【００１６】
以下、本発明の実施形態を、図面を参照しながら説明する。なお、以下の実施形態において、表示された寸法、数値等は単なる一例を示したものであり、本発明はこれに限定されるものではない。
【００１７】
本明細書において「流抵抗」とは、リフィルの速度とオーバーシュートの発生具合を観察することによって決まる、「インク流路におけるインクの供給し易さ及び流動しやすさ」であって、主にインクの物性とインク流路の組み合わせによって定まる。例えば、リフィル時間が短かったりオーバーシュートしがちなインクとインク流路の組み合わせでは流抵抗が低いとされ、リフィル時間が長かったり、オーバーシュートし難かったりするインクとインク流路の組み合わせでは流抵抗が大きいとされる。
【実施例１】
【００１８】
図１は、本発明に適用可能なインクジェット記録装置１００の概観斜視図である。キャリッジ１１は、記録ヘッドカートリッジ（不図示）を搭載した状態で、キャリッジ駆動モータ１２を駆動源として図の主走査方向に移動走査する。キャリッジ１１には、光学式のエンコーダセンサが備えられており、記録走査方向に延在するエンコーダフィルム１６にプリントされたコードを読み取ることにより、キャリッジ１１の現在位置や速度を把握することが出来る。
【００１９】
インクジェット記録装置１００の図示しない制御部から出力される記録ヘッドの制御信号は、キャリッジ１１の移動走査に追従しながら記録ヘッドと制御部とを連結するフレキシブルケーブル１３によって送信される。
【００２０】
給紙トレイ１５に積載されている記録媒体の１枚がキャリッジ１１に搭載された記録ヘッドによって記録可能な位置まで給紙されると、記録ヘッドはエンコーダセンサから得られる現在位置に基づき、制御信号に従った吐出を行いながら主走査方向に移動走査する。これにより、記録媒体に対する１行分の記録が完成する。その後、不図示の搬送ローラによって、上記主走査方向とは交差する副走査方向に記録媒体が搬送され、再び記録ヘッドによる記録走査が実行される。このような記録走査と副走査とを交互に繰り返すことにより、記録媒体に段階的に画像が記録されていく。記録媒体に対する全ての記録が完了すると、記録媒体は排紙トレイ１７に排出される。
【００２１】
キャリッジ１１の走査内で且つ記録ヘッドの記録領域外には、記録ヘッドのメンテナンスを行うための回復機構１４が備えられている。非記録時や記録中であっても必要に応じて、キャリッジ１１は回復機構１４が配備された領域に移動し、ここで記録ヘッドは、吐出状態を安定に維持するための様々なメンテナンス処理を受ける。
【００２２】
図２は、本実施例で採用するインクジェット記録ヘッドの記録素子列の一部構成を説明するための模式図である。また、図３は、図２のＸ−Ｘ´で記録ヘッドを切断した場合の断面図である。インク供給口から共通液室５に供給されたインクは、左右に互い違いに延びる複数のインク流路４に分岐し、それぞれのインク流路４の先端に備えられた圧力室２まで到達する。圧力室２内のＳｉ基板（ウエハ）１０上に備えられた電気熱変換体９は、記録信号に応じて電圧パルスが印加されると、急激に発熱する。この発熱により、インク流路から圧力室に存在するインク中に膜沸騰による発泡が生じ、所定量のインク滴が吐出口３から記録ヘッドの外部に吐出される。以下、本明細書において、インク流路４から吐出口までの構成を１つのノズルと定義する。なお、ここでは、基板１０の材質としてＳｉを用いたが、流路構成部材の一部となり、電気熱変換体、インク流路および吐出口を形成する材料層の支持体として機能し得るのであれば、ガラス、セラミックス、プラスチックあるいは金属等の材質であってもよい。
【００２３】
図２を参照するに、共通液室５に対し左右に延びる複数のインク流路４は、それぞれの列において１／６００インチのピッチで３８２個ずつ配列し、更に右列と左列では図の上下方向に互いに半ピッチずれている。すなわち、記録ヘッドが図の主走査方向に走査しながらインクを吐出することにより、記録媒体には副走査方向に１２００ｄｐｉ（ドット／インチ；参考値）で７６４個のドットを記録することが出来る。
【００２４】
本実施例の各ノズルにおいて、吐出口３の直径は１２．５μｍ、インク流路４の高さＨは１４μｍとし、各圧力室の大きさも統一されているものとする。但し、インク流路４の幅については、互いに異なる２種類の構造ＡおよびＢを用意し、ＡおよびＢは副走査方向に交互に配列するように構成されている。本実施例において、ノズルＡの流路幅Ｗａは１２μｍ、ノズルＢの流路幅Ｗｂは２１μｍとする。よって、ノズルＡのインク流路４の断面積は１６８μｍ２、ノズルＢのインク流路４の断面積は２９４μｍ２となる。このように、インク流路断面積の異なる２つのノズルを備える記録ヘッドでは、ノズルのタイプに応じてリフィルの速度が異なることが想定される。詳しくは、よりインク流路断面積が大きいノズルＢの方が流抵抗が少なく、リフィルが速いことが想定される。
【００２５】
図４は、図２および図３で説明した本実施例の記録ヘッドを用いて記録を実行した際の、インクの物性値と各ノズルに適切なリフィル周波数を、インクの色ごとに示した図である。本実施例で使用する４色のインクの中では、特にブラック（Ｋ）の粘度が低く、且つ表面張力が高い。よって、ブラックインクは他色に比べて、ノズルＡおよびＢ共に、適切なリフィル周波数が高くなっている。ここで、例えば記録装置で実行する駆動周波数を２４ＫＨｚとすると、ノズルＡのシアン（Ｃ）、マゼンタ（Ｍ）およびイエロー（Ｙ）では、リフィルが間に合わない恐れが生じる。よって、本実施例では、シアン、マゼンタおよびイエローについては、ノズルＡが連続して駆動されないように、すなわち駆動周波数が２４ＫＨｚにならないように工夫された４パスのマルチパス記録方法を採用する。
【００２６】
マルチパス記録では、１つのノズルが１回の記録主走査で記録可能な画像データを複数の記録走査に分割し、更に各記録走査の間にノズル列よりも短い所定量の搬送動作を行う。これにより、主走査方向に配列する記録媒体上のドットは、複数種類のノズルによって記録されるので、ノズル特有のばらつきが分散され、画像全体が滑らかな状態になる。
【００２７】
図５は、上記４パスのマルチパス記録を実行する際の、画像データにおける各ラスタ（行）に配列する記録データを複数のノズルへ割り振る方法を示した図である。本実施例の記録装置では、各記録主走査の間に１９１画素分（１２００ｄｐｉ）の副走査を実行する。すなわち、１回目の記録主走査でノズル０によってドットが記録されるラスタ０は、２回目の記録主走査ではノズル１９１によって、３回目の記録主走査ではノズル３８２によって、更に４回目の記録主走査ではノズル５７３によってドットが記録される。そして、これら４回の記録主走査によってラスタ０の記録は完了する。一般に、このようなラスタデータの割り振りには「マスクパターン」と呼ばれる２値データが利用される。
【００２８】
図６（ａ）〜（ｃ）は、上記４パスのマスクパターンの一例を示した図である。ここでは、簡単のためラスタ０〜ラスタ３に含まれる主走査方向に連続した４つの画素に対する、４回の記録主走査で用いるマスクパターンを示している。各記録走査に用意された４画素×４画素の領域は、その記録走査でドットを記録することを許容する画素を黒、許容しない画素を白で示している。４種類のマスクパターンは互いに補完の関係を有しており、全ての画素は４回の記録主走査のいずれかによって１回ずつ記録が許容されている。実際の記録時には、各ラスタに与えられた記録／非記録が定められた２値の記録データと、ここに示したマスクパターンとの間で論理積を取り、その結果に従って、各記録走査で吐出動作を行う。
【００２９】
第１記録走査〜第４記録走査で使用する４種類のマスクパターンにおいては、互いに補完の関係さえ保たれていれば、記録画素（黒画素）がどのように配置されていてもマルチパス記録は実現できる。しかし、その配置方法を工夫することによって、さらに様々な効果を得ることが出来る。本実施例では、このマスクパターンに所定の条件を加えることによって、ノズルＡおよびノズルＢ共に、見かけ上２４ＫＨｚの駆動を可能にする。
【００３０】
例えば図６（ａ）は、２４ＫＨｚのリフィル周波数が困難なノズルＡを用いず、２４ＫＨｚのリフィル周波数を十分に満たすノズルＢのみを用いて記録を行うように工夫したマスクパターンを示している。また、同図（ｂ）は、２４ＫＨｚのリフィル周波数を十分に満たすノズルＢでは連続吐出を認め、２４ＫＨｚのリフィル周波数が困難なノズルＡでは連続吐出を認めないようなマスクパターンを示している。連続吐出が行われなければ、実質的な吐出周波数は２４ＫＨｚの半分の１２ＫＨｚ以下になる。また、同図（ｃ）は、連続吐出を回避しながらも、全てのノズルを均等に使用するようにしたマスクパターンを示している。本実施例においては、以上３種類のマスクパターンのいずれを使用しても、安定した吐出状態のまま、記録装置における２４ＫＨｚでの駆動が実現でき、記録された画像にも支障が現れない。
【実施例２】
【００３１】
実施例２においても、記録装置および記録ヘッドの構成は、図１〜図３で説明した実施例１の構成と略同様とする。但し、本実施例ではノズルＡとノズルＣの２種類のノズル構造を用意し、インク流路４の幅については、ノズルＡの流路幅Ｗａは１４μｍ、ノズルＣの流路幅Ｗｂは２１μｍとする。また、吐出口３の直径は全ノズル共通で１２．３μｍ、インク流路４の高さＨも全ノズル共通で１６μｍとする。よって、ノズルＡのインク流路４の断面積は２２４μｍ２、ノズルＣのインク流路４の断面積は３３６μｍ２となる。
【００３２】
本実施例では、ノズル構造に応じたリフィル時間のみならず、駆動時の最大発泡位置の状態に応じて、駆動周波数を制御するようなマスクパターンを用意する。ここで、簡単に本実施例における最大発泡長についての説明を行う。
【００３３】
図７は、本実施例で使用するノズルの１つを図２と同じ方向から観察した状態を説明するための図である。電気熱変換素子９に電圧パルスが印加されると、膜沸騰によりインク中に泡２０が生じこれが成長する。図では、泡２０の成長が圧力室２からインク流路４まで及んでいる様子を示している。本実施例において最大発泡長とは、このように泡の成長が最大値に達した瞬間における、電気熱変換素子９の中心からインク流路４内の発泡の端の位置までの距離を示す。
【００３４】
図８は、本実施例の記録ヘッドを用いて記録を実行した際の、インクの物性値と適切なリフィル周波数、最大発泡長および吐出口からのインク溢れ状態を、インクの色ごとおよびノズル構造ごとに示した図である。本実施例で使用するノズルはノズルＡとノズルＣの２種類であるが、ここでは比較の対象として、インク流露の幅Ｗｂが１８μｍで断面積が２２８μｍ２のノズルＢでの結果も示している。本実施例では、シアン、マゼンタおよびイエローの３色を使用するがシアンやマゼンタと比較してイエローは表面張力が高い。よって、最大発泡長が比較的大きい一方で、シアンやマゼンタに比べてメニスカスのオーバーシュートによるインク溢れが起きやすく、適切なリフィル周波数も高くなっている。
【００３５】
記録装置本体で２４ＫＨｚの駆動周波数を実現するためには、２４ＫＨｚ以上のリフィル周波数を有するノズルを使用することが望まれる。シアンおよびマゼンタのノズルＡについては、リフィル周波数が２４ＫＨｚ未満であるので、ノズルＣを主として使用するようにする。一方、イエローについては、ノズルＡもノズルＣも共にリフィル周波数は２４ＫＨｚ以上である。但し、流路幅の大きいノズルＣではインク溢れが生じやすいので、ノズルＡを主として使用するようにする。
【００３６】
本実施例においても、実施例１と同様、マルチパス記録を実施する際に用いるマスクパターンに特徴を持たせ、使用するノズルに上述したような偏りを生じさせる。
【００３７】
図９は、本実施例に適用可能なマスクパターンの一例を図６と同様に示した図である。上段の４つは互いに補完の関係を有する、シアンおよびマゼンタ用のマスクパターンである。また、下段の４つはやはり互いに補完の関係を有しするイエロー用のマスクパターンである。シアンおよびマゼンタ用のマスクパターンでは、ノズルＡがノズルＣよりも多く使用されるように、記録許容画素（黒）と非許容画素（白）が配置されている。一方、イエロー用のマスクパターンでは、ノズルＣがノズルＡよりも多く使用されるように、記録許容画素（黒）と非許容画素（白）が配置されている。このように、インクの物性に応じて調整されたインク色ごとに異なるマスクパターンを用いることにより、２４ＫＨｚ以上の駆動周波数で記録を行っても、個々の記録素子においては、より低減された適切な周波数で吐出を行うことが出来る。結果、安定した吐出を維持した状態で、支障のない画像を出力することが出来る。
【実施例３】
【００３８】
本実施例においても、記録装置および記録ヘッドの構成は、図１〜図３で説明した上記実施例の構成と略同様である。但し、本実施例の記録ヘッドは、一つのインク供給口および共通液室に対し、異なる種類のインクを収容したインクタンクを交換しながら使用する。具体的には、記録媒体の表面に色材が残りやすく高濃度画像が期待できるマッドブラックインク（ＭＢｋ）と、記録媒体に色材が浸透しやすく定着時間の短いフォトブラックインク（ＰＢｋ）とが用意され、これらが用途に応じて交換される。２つのインクはそれぞれの特徴を発揮するために、含有される成分が調整され、粘度や表面張力のような物性値も互いに異なっている。本実施例では、これら２種類のインクを、同じ記録ヘッドによって吐出する。
【００３９】
本実施例の記録ヘッドは、ノズルＡとノズルＢの２種類のノズル構造を有し、インク流路４の幅については、ノズルＡの流路幅Ｗａは１２μｍ、ノズルＢの流路幅Ｗｂは２１μｍとする。また、吐出口３の直径は全ノズル共通で１２．５μｍ、インク流路４の高さＨは全ノズル共通で１４μｍとする。よって、ノズルＡのインク流路４の断面積は１６８μｍ２、ノズルＢのインク流路４の断面積は２９４μｍ２となる。
【００４０】
図１０は、本実施例の記録ヘッドを用いて記録を実行した際の、インクの物性値と適切なリフィル周波数を、インクの色ごとおよびノズル構造ごとに示した図である。ＰＢｋはＭＢｋに比べて粘度が高く表面張力が低い。よって同じ記録ヘッドから吐出動作を行った場合でも、適切なリフィル周波数がＭＢｋに比べて小さくなっている。本実施例の記録装置において２５ＫＨｚの駆動周波数で記録を行う場合、ＰＢｋのノズルＡではリフィルが間に合わなくなる恐れがある。よって本実施例においては、記録ヘッドにＰＢｋが装着されている場合には、ノズルＢを主として使用する、あるいはノズルＡで連続吐出が行われないようにする。一方、ＭＢｋが装着されている場合には、ノズルＡとノズルＢともに２４ＫＨｚ以上のリフィル周波数を有しているので、これらが均等に使用されるようにする。
【００４１】
本実施例においても、実施例１と同様、マルチパス記録を実施する際に用いるマスクパターンに特徴を持たせて、使用するノズルに上述したような偏りを生じさせ。例えば、ＰＢｋについてはノズルＡを使用しない図６（ａ）のマスクパターンを使用し、ＭＢｋについては、ノズルＡ、Ｂともに記録許容画素が均等に割り振られた同図（ｃ）のマスクパターンを使用するようにしてもよい。
【００４２】
このように、装着されたインクタンクの種類に応じてマルチパス記録を行う際に使用するマスクパターンを自動的に切り替えることにより、どちらのインクタンクを装着した場合でも、安定した吐出を維持した状態で、支障のない画像を出力することが可能となる。
【００４３】
以上説明した実施例では、記録ヘッドに備えられたノズル構造のそれぞれに適応した吐出周波数が実質的に得られるように、４パスのマルチパス記録を行う際に利用するマスクパターンに特徴を持たせているが、本発明はこのような構成に限定されるものではない。マルチパス数は３パス以下であっても、５パス以上であっても良い。マルチパス数が少ないほど、記録許容画素の存在率は高く、吐出周波数が高くなり易いので、マスクパターンによる制御の効果が高い。
【００４４】
また、個々のノズルの吐出頻度（実質的な吐出周波数）に制限を与えることが可能な方法はマスクパターンを利用する方法のみではない。例えば、多値のデータを２値データに変換する量子化処理において、個々のノズル位置に応じて記録頻度に制限を加えることも可能である。どのような手法であれ、個々のノズルの吐出頻度に制限を与えることが可能な方法が採用されれば、本発明の効果を得ることが出来る。以上の実施例では、１つの手段としてマスクパターンを利用したに過ぎない。
【００４５】
本発明によれば、構成の異なる複数の種類のノズルを有する記録ヘッドを１種類だけ用意することにより、様々な物性のインクに対応することが可能となる。すなわち、どのような物性のインクを吐出する場合であっても、そのインクの物性に適応したノズル構成を複数の中から選択し、このノズルによって主たる吐出動作が行われるように、記録方法を制御することが出来るのである。
【図面の簡単な説明】
【００４６】
【図１】本発明に適用可能なインクジェット記録装置の概観斜視図である。
【図２】本発明の実施例で採用するインクジェット記録ヘッドの記録素子列の一部構成を説明するための模式図である。
【図３】図２のＸ−Ｘ´で記録ヘッドを切断した場合の断面図である。
【図４】インクの物性値と各ノズルに適切なリフィル周波数をインクの色ごとに示した図である。
【図５】４パスのマルチパス記録を実行する際の、画像データにおける各ラスタ（行）に配列する記録データを複数のノズルへ割り振る方法を示した図である。
【図６】（ａ）〜（ｃ）は、４パスのマスクパターンの一例を示した図である。
【図７】１つのノズルにおける発泡状態を説明するための図である。
【図８】インクの物性値と適切なリフィル周波数、最大発泡長および吐出口からのインク溢れ状態を、インクの色ごとおよびノズル構造ごとに示した図である。
【図９】実施例２に適用可能なマスクパターンの一例を示した図である。
【図１０】インクの物性値と適切なリフィル周波数を、インクの色ごとおよびノズル構造ごとに示した図である。
【符号の説明】
【００４７】
２      圧力室
３      吐出口
４      インク流路
５      共通液室
９      電気熱変換素子
１０      基板
２０      泡
【図１】
2008194930.tif 000003
【図２】
2008194930.tif 000004
【図３】
2008194930.tif 000005
【図４】
2008194930.tif 000006
【図５】
2008194930.tif 000007
【図６】
2008194930.tif 000008
【図７】
2008194930.tif 000009
【図８】
2008194930.tif 000010
【図９】
2008194930.tif 000011
【図１０】
2008194930.tif 000012